(57)【要約】【課題】簡単な操作で自動的にチェーンリンク同士を連結することができ、年少者にもアクセサリーを作る楽しみを与えることができるチェーンリンク及びチェーン作成玩具を提供すること。【解決手段】２つのリング１を互いに直交するように連結形成し、両端に切れ目を設けたチェーンリンクＡ同士を連結するチェーン作成玩具であって、玩具本体１０はチェーンリンクＡを収容する収容部１１と、収容部１１に収容したチェーンリンクＡを揺動させる揺動機構４０と、チェーンリンクＡを連結する連結機構８３と、上記収容部１１内のチェーンリンクＡを連結機構８３に案内する通路１３とを備え、上記連結機構８３はチェーンリンクＡの移動を阻止及び阻止解除を交互に行なう阻止機構８４と、移動を阻止しているタイミングに後続のチェーンリンクＡを前段のチェーンリンクＡの後端に押圧する押圧機構８５とで構成した。【選択図】図３
2006280702.tif 000002
【特許請求の範囲】
【請求項１】
２つのリングを互いに直交するように連結形成したチェーンリンクであって、該チェーンリンクの両端に切れ目を設けたことを特徴とするチェーンリンク。
【請求項２】
２つのリングを互いに直交するように連結形成し、両端に切れ目を設けたチェーンリンク同士を連結してチェーンリンクを作成する、以下の要件を備えることを特徴とするチェーン作成玩具。
（イ）玩具本体は上記チェーンリンクを収容する収容部と、該収容部に収容したチェーンリンクを揺動させる揺動機構と、チェーンリンクを連結する連結機構と、上記収容部内のチェーンリンクを連結機構に案内する通路とを備えたこと
（ロ）上記連結機構はチェーンリンクの通路内の移動を阻止及び阻止解除を交互に行なう阻止機構と、上記チェーンリンクの移動が阻止されているタイミングに後続のチェーンリンクを前方のチェーンリンクの後端に押圧する押圧機構とで構成されていること
【請求項３】
前記揺動機構及び連結機構はハンドルの回転操作で連動して作動するように構成されている、請求項２記載のチェーン作成玩具。
【発明の詳細な説明】
【技術分野】
【０００１】
本発明は、簡単に連結できるチェーンリンク及びこのチェーンリンクを自動的に連結してチェーンリンクを作成するチェーン作成玩具に関するものである。
【背景技術】
【０００２】
一般にパーツを連結することによりチェーンが形成されているが、任意の長さのチェーンを作ることができる装飾用鎖が提案されている（例えば、特許文献１）。この装飾用鎖は両端に連結用孔部が形成された中空部材と、この中空部材同士を連結する連結部材とで構成されているもので、連結部材の両端には連結用孔部より幅広に形成された係合端部が形成され、係合端部を連結用孔部に差し込むことにより中空部材と連結部材とを連結することができるようにしたものである。
【特許文献１】登録実用新案３０６１８６９号公報
【発明の開示】
【発明が解決しようとする課題】
【０００３】
本発明が解決しようとする問題点は、上述の装飾用鎖は中空部材と連結部材との２つの部材を必要とし、小さな部品同士の連結は年少者には至難の作業であり、自動的に中空部材同士を連結することができない点であった。
【０００４】
本発明は、上記問題点を解決し、一種類のチェーンリンクで構成され、チェーンリンク同士を押し付けるだけで簡単に連結することができるとともに、簡単な操作で自動的にチェーンリンク同士を連結することができ、年少者にもアクセサリーを作る楽しみを与えることができるチェーンリンク及びチェーン作成玩具を提供することを課題とする。
【課題を解決するための手段】
【０００５】
前記課題を解決するために本発明に係るチェーンリンクは、２つのリングを互いに直交するように連結形成したチェーンリンクであって、該チェーンリンクの両端に切れ目を設けたことを特徴とする。
【０００６】
また、本発明に係るチェーン作成玩具は、２つのリングを互いに直交するように連結形成し、両端に切れ目を設けたチェーンリンク同士を連結してチェーンを作成する、以下の要件を備えることを特徴とする。
（イ）玩具本体は上記チェーンリンクを収容する収容部と、該収容部に収容したチェーンリンクを揺動させる揺動機構と、チェーンリンクを連結する連結機構と、上記収容部内のチェーンリンクを連結機構に案内する通路とを備えたこと
（ロ）上記連結機構はチェーンリンクの通路内の移動を阻止及び阻止解除を交互に行なう阻止機構と、上記チェーンリンクの移動が阻止されているタイミングに後続のチェーンリンクを前方のチェーンリンクの後端に押圧する押圧機構とで構成されていること
なお、前記揺動機構及び連結機構はハンドルの回転操作で連動して作動するように構成されていることが好ましい。
【発明の効果】
【０００７】
請求項１の発明によれば、前段のチェーンリンクの後端の切れ目に、後段のチェーンリンクの前端の切れ目を対向させ、前段のチェーンリンクに後段のチェーンリンクを押圧することにより、容易にチェーンリンク同士を連結することができる。
【０００８】
請求項２の発明によれば、収容部に収容したチェーンリンクを揺動機構で揺動させて通路に導き、通路を経由してチェーンリンクを連結する連結機構に移動させると、連結機構を構成するチェーンリンクの通路内の移動を阻止及び阻止解除を交互に行なう阻止機構と、上記チェーンリンクの移動が阻止されているタイミングに後続のチェーンリンクを前段のチェーンリンクの後端に押圧する押圧機構とで、連続してチェーンリンクを連結することができる。
【０００９】
請求項３の発明によれば、ハンドルを回す簡単な操作で、チェーンリンクを連結することができ、年少者にもチェーンを作る楽しみを享受することができる。
【発明を実施するための最良の形態】
【００１０】
２つのリングを互いに直交するように連結形成し、両端に切れ目を設けたチェーンリンク同士を連結することができるチェーン作成玩具であって、玩具本体は上記チェーンリンクを収容する収容部と、該収容部を水平方向に回動する揺動機構を備えるとともに、上記チェーンリンクの前部が水平に後部が垂直になるように整列させる通路を設け、該通路にはチェーンリンクの前進を阻止及び阻止解除を交互に行なう阻止機構と、上記チェーンリンクの前進が阻止されているタイミングに後続のチェーンリンクを前方のチェーンリンクの後端に押圧する押圧機構とを備え、上記揺動機構、阻止機構及び押圧機構はハンドルの回転操作で連動して作動するようにした。
【実施例１】
【００１１】
図１は、本発明に係るチェーンリンクAを示し、このチェーンリンクAは２つのリング１を互いに直交するように連結した状態に一体成形するとともに、連結部２の反対側には夫々切れ目３を形成し、各リング１は連結部２を支点にリング１の先端が開拡するように成形したものである。
【００１２】
そして、切れ目３の先端３ａは曲面状に形成され、チェーンリンクA同士を連結する場合は切れ目３同士を直交するように対向させ、押し付けることによりリング１の先端３が互いに開拡し、チェーンリンクA同士を簡単に連結することができるようにしたものである。
【００１３】
上述のチェーンリンクAによれば、切れ目３同士を対向させ、図２（ａ）に示すように、チェーンリンクA１にチェーンリンクA２を押し付けてチェーンリンクA１とチェーンリンクA２とを連結し、連結したチェーンリンクA２にチェーンリンクA３を押し付けてチェーンリンクA２とチェーンリンクA３とを連結し、連結したチェーンリンクA３にチェーンリンクA４を押し付けてチェーンリンクA３とチェーンリンクA４とを連結することによりチェーンリンクA同士を容易に連結することができ、順次チェーンリンクを連結することにより容易にチェーン４を作成することができる。
【００１４】
チェーンリンクＡを連結して作成したチェーン４に、アクセサリーパーツ５を取り付ければ、アクセサリー付きのブレスレット玩具やネックレス玩具を簡単に作ることができる。アクセサリーパーツ５にも切れ目６の形成された連結リング７を一体形成しておけば、任意のチェーンリンクＡに連結リング７を押し付けることによりアクセサリーパーツ５をチェーン４に取り付けることができる。
【００１５】
なお、連結したチェーンリンクA同士に引き離し方向に外圧がかかると連結時と同様に切れ目３が開いて分離してしまうので、重量のあるものを吊り下げたり、貴重な物品を吊り下げたりするのにはリスクがある為に、あくまで玩具としてのチェーン４を作成する場合に用いることが好ましい。
【実施例２】
【００１６】
図３は、上述したチェーンリンクAを連結してチェーンを作成するチェーン作成玩具Ｂを示し、このチェーン作成玩具Ｂはハンドル８を回すだけの簡単な操作でチェーンリンクAを連続して連結することができるように構成されているものである。
【００１７】
玩具本体１０には上部に、チェーンリンクAを収容する収容部１１を配置し、この収容部１１はハンドル８を回すと後述する揺動機構４０が作動し、収容部１１内の回動板１２を水平方向に繰り返し回動させ、収容したチェーンリンクAを揺動させながら収容部１１から通路１３に順次排出することができるようになっている。
【００１８】
収容部１１は、図４に示すように、回動板１２とガイド枠１５と仕切り枠１６と蓋体１７とで構成され、回動板１２は裏面に突出形成された係合軸１８が揺動機構４０の出力軸２０に形成された十字状の係合凹部２１に係合し、出力軸２０の回動に合わせて回動板１２は水平方向に回動するようになっている。
【００１９】
この回動板１２は中央から周面に向かってなだらかに下がる曲面状の円板で、回動することにより回動板１２上に載置されたチェーンリンクAは斜面に沿って周面側に移動し、回動板１２と仕切り枠１６との隙間からチェーンリンクAの先端が水平な状態で突出するようにしている（図５参照）。
【００２０】
ガイド枠１５は玩具本体１０の上面に形成された支持柱２２にネジ止めされ、内周面下部には仕切り枠１６を載置する縁部２３が周設され、内周壁面には等間隔に係合溝２４が縦に形成され、前部の壁面には排出口２５が形成されている。上記係合溝２４には仕切り枠１６の外周面に縦に形成された係合凸部２６が係合し、係合時には仕切り枠１６に等間隔に形成された切欠き２９の何れかがガイド枠１５の排出口２５に対応するようになっている。
【００２１】
仕切り枠１６は、上下面が開口した平板な筒状に形成され、中心の軸部２７から放射状に形成された３枚の仕切り板２８で等間隔に仕切られ、周壁面には切欠き２９が等間隔に３箇所形成されるとともに、外周面には係合凸部２６が縦に等間隔に３箇所形成されている。上記軸部２７には六角形の嵌合凹部３０が形成され、後述するダイヤル３１を回すと仕切り枠１６を回すことができるようになっている。
【００２２】
蓋体１７は透明な円板で、上面中央にはダイヤル３１が設けられ、下面中央には６角柱状の軸部３２が下方に突出して形成され、軸部３２を仕切り枠１６の嵌合凹部３０に嵌め合わせることができるようになっており、蓋体１７を通して内部に収容したチェーンリンクAを視認することができるとともに、ダイヤル３１を回すことによって仕切り枠１６を回転させ、ガイド枠１５の排出口２５に仕切り枠１６の任意の切欠き２９を対応させることができ、仕切り板２８で仕切られた仕切り枠１６内に異なる色のチェーンリンクＡを収容しておけば任意の色のチェーンリンクＡを排出することができるようになっている。そして、排出口２５と切欠き２９が対応したときには係合凸部２６と係合溝２４とが係合し、強制的に仕切り枠１６を回さない限りは排出口２５と切欠き２９の対応は変わらないようになっている。
【００２３】
なお、図４において、符号３５、３６は、それぞれ支柱３７、３８に回動可能に支持されたチェーンリンクＡやアクセサリーパーツ５を収容するトレイを示す。
【００２４】
揺動機構４０は、図６、７に示すように、ハンドル８の軸４１にピニオン４２が固定され、このピニオン４２に噛み合うクラウン歯車４３と一体の平歯車４４には、プーリ４５と一体の平歯車４６が噛み合い、プーリ４５に掛けられたゴムベルト４７が掛け渡されたプーリ４８と一体の平歯車４９にはカム歯車５０が噛み合い、このカム歯車５０のカムピン５１には、扇歯車５２に形成された係合軸５３がスプリング５４に付勢されて圧接し、カム歯車５０が回転すると扇歯車５２はスプリング５４に抗して時計方向に回動させられ、駆動歯車５５を反時計方向に回動するようになっている（図７（ａ）参照）。
【００２５】
カム歯車５０の回転が進み、カムピン５１と係合軸５３との係合が外れると、扇歯車５２はスプリング５４に付勢されてストッパー５６に当接するまで反時計方向に復帰回動し、駆動歯車５５を時計方向に回動させる（図７（ｂ）参照）。ハンドル８を連続して回転させると扇歯車５２が回動して駆動歯車５５を繰り返し回動するので、この駆動歯車５５と同軸上の出力軸２０を繰り返し回動させるようになっている。
【００２６】
この出力軸２０の先端の係合凹部２１には収容部１１の回動板１２の係合軸１８が係合しているので、回動板１２が繰り返し回動してチェーンリンクAを揺り動かし、回動板１２の斜面に沿って回動板１２の外周側に移動させ、仕切り枠１６の切欠き２９に対応したチェーンリンクAはガイド枠１５の排出口２５から通路１３内に排出されるようになっている。
【００２７】
通路１３は下側通路６０と上側通路６１とが対向するように構成され、図８（ａ）（ｂ）に示すように、下側通路６０の中央には第１の案内溝６２が形成され、上側通路６１の中央には第１の案内溝６２に対応して２枚のガイド板６３で形成された第２の案内溝６４が形成され、ガイド板６３より長い側板６５でリング１の肉厚より広い隙間が形成され、通路１３内を移動するチェーンリンクAの一方のリング１は水平状態で他方のリング１´は垂直状態で移動できるようになっている。
【００２８】
さらに、通路１３は斜路１３ａと水平路１３ｂとから構成され、斜路１３ａにはチェーンリンクAを１つずつ送り出す送り出し機構７０が配置され、水平路１３ｂにはチェーンリンクAを連結する連結機構８３が配置されている。
【００２９】
送り出し機構７０は、図６に示すように第１のストッパー７１と第２のストッパー７２とが前後に形成されたストッパー部材７３と、ハンドル８の軸４１に固定されたピニオン４２と一体の歯車７４に噛み合う平歯車７５の同軸上に固定されたカム円板７６の背面側に形成された偏心カム７７（図９参照）とで構成され、偏心カム７７の回転に対応して第１のストッパー７１と第２のストッパー７２とが交互に下側通路６０内に突出し、チェーンリンクAを１つずつ連結機構８３に送り込むようになっている。
【００３０】
ストッパー部材７３は支軸７８に対し第１のストッパー７１が水平方向に、第２のストッパー７２が垂直方向に配置され、スプリング７９に付勢され第１のストッパー７１の先端が常に下側通路６０内に突出するとともに先端の係合部８０が偏心カム７７に当接する方向に回動付勢されている（図９（ａ）参照）。
【００３１】
偏心カム７７が回転し、図９（ｂ）に示すように、係合部８０が押し下げられるとストッパー部材７３はスプリング７９に抗して反時計方向に回動し、第１のストッパー７１の先端が下側通路６０から退避し、第２のストッパー７２の先端が通路内に突出し、第１のストッパー７１で止められていたチェーンリンクAは通路１３内を降下し、後続するチェーンリンクAは第２のストッパー７２で降下が阻止されるようになっている。
【００３２】
図９（ｃ）に示すように、偏心カム７７による係合部８０の押し下げが解除されると、スプリング７９に付勢されてストッパー部材７３は時計方向に回動し、第１のストッパー７１の先端が下側通路６０内に突出するとともに、第２のストッパー７２の先端が通路から退避するので第２のストッパー７２に降下が阻止されていたチェーンリンクAは第１のストッパー７１に当接するまで下降する。
【００３３】
このようにして偏心カム７７の回転に連動して、第１のストッパー７１と第２のストッパー７２の下側通路６０内への出没が交互に繰り返されるので、偏心カム７７の１回転に１つのチェーンリンクAが斜路１３ａ内を降下するようになっている。
【００３４】
斜路１３ａ内を降下したチェーンリンクAは水平路１３ｂに到達すると、連結機構８３に連係することになる。この連結機構８３はチェーンリンクＡの前進を阻止及び阻止解除を交互に行なう阻止機構８４と、チェーンリンクＡの前進が阻止されているタイミングに後続のチェーンリンクＡを前方のチェーンリンクＡに押し付けるとともに連結したチェーンリンクＡを前方に押し出す押圧機構８５とで構成されている。
【００３５】
押圧機構８５は、カム円板７６の周面にほぼ対象に形成された第１のカム８６と第２のカム８７とで構成されている。第１のカム８６はチェーンリンクA同士を連結するために作用するもので、第２のカム８７は連結したチェーンリンクAを前方に送り出すように作用するものである。
【００３６】
阻止機構８４は、レバー８８と阻止部材８９とで構成され、レバー部材７３は上記カム円板７６の表面側に形成された略楕円形状のカム溝９０に、先端に設けられた係合軸９１が係合し、カム円板７６の回転に伴い軸９２を中心に上下に回動するように構成されている。このレバー８８の後端側面には係合軸９３が通路側に突出して形成され、この係合軸９３は阻止部材８９の底面に係合するようになっている。
【００３７】
阻止部材８９は、上面に前後方向に案内溝９４が形成され、案内溝９４の先端は阻止部材８９の前面に開口し、後端は阻止壁９５で塞がれている。この阻止部材８９は軸９６を中心に自重で後端がレバー８８の係合軸９３に載りかかるように常に下動し、レバー８８の回動に連動して軸９６を中心に上下に回動するようになっている。
【００３８】
上記阻止機構８４と押圧機構８５とは、阻止機構８４がチェーンリンクＡの進行を阻止しているタイミングで、第１のカム８６が後続のチェーンリンクＡを前段のチェーンリンクに押し付けて連結させ、第２のカム８７がチェーンリンクＡを押圧するタイミングにはチェーンリンクの進行阻止を解除するようになっているもので、図１０（ａ）に示すように、カム円板７６が回転し、第１のカム８６が後続のチェーンリンクＡ´を押し始めるタイミングには、係合軸９１はカム溝９０の最小径の位置にあり、レバー８８は軸９２を中心に時計方向に回動し、係合軸９３は阻止部材８９を押し上げているので、阻止壁９５の上端は水平路１３ｂ内に突出することになる。
【００３９】
カム円板７６がさらに回転し、第１のカム８６が後続のチェーンリンクＡ´を押して前段のチェーンリンクＡに押し付け、さらに押圧すると、前段のチェーンリンクＡは、図１０（ｂ）に示すように、阻止壁９５に進行を阻止されることになる。前段のチェーンリンクＡが進行を阻止されるタイミングは係合軸９１がカム溝９０の最小径にあるので継続し、後続のチェーンリンクＡ´が第１のカム８６に引き続き押圧されるので、前段のチェーンリンクＡに後続のチェーンリンクＡ´が連結されることになる。
【００４０】
カム円板７６がさらに回転すると、チェーンリンクＡに連結された後続のチェーンリンクＡ´は、図１０（ｃ）に示すように、第２のカム８７に押されることになる。このとき、係合軸９１はカム溝９０の最大径の位置にあり、レバー８８は軸９２を中心に反時計方向に回動し、係合軸９３による阻止部材８９の押し上げが解除されるので、阻止部材８９は自重で時計方向に回動し、阻止壁９５は水平路１３ｂから退避するのでチェーンリンクＡは前方に移動し、チェーンリンク１つ分が送り出されることになる。
【００４１】
さらに、カム円板７６が回転するとチェーンリンクＡ´は、図１０（ａ）のチェーンリンクＡと同じ状態になり、後続するチェーンリンクを引き続き連結することができる。
【００４２】
上述のチェーン作成玩具によれば、収容部１１にチェーンリンクを収容し、ハンドル８を回転操作すると、収容部１１内のチェーンリンクは回動板１２の回動で揺動させられガイド枠１５に形成された排出口２５から通路１３内に移動する。通路１３内に移動したチェーンリンクはストッパー部材７３で降下が阻止される。ハンドル８を回転するとストッパー部材７３が上下に回動して第１のストッパー７１と第２のストッパー７２とが交互に斜路１３ａ内に出没するので、ストッパー部材７３の１回の回動でチェーンリンクは１つ降下して水平路１３ｂに移動する。
【００４３】
水平路１３ｂにはチェーンリンクの連結機構８３である阻止機構８４と押圧機構８５とが配置されているので、前段のチェーンリンクの前進が阻止機構８４で阻止されているタイミングで後段のチェーンリンクが押圧機構８５（第１のカム８６）に押圧されて連結する。連結が完了すると阻止機構８４によるチェーンリンクの前進阻止が解除されるので、解除されているタイミングで後段のチェーンリンクを押圧機構８５（第２のカム８７）が押圧するので、連結済みのチェーンリンクはチェーンリンク１つ分だけ前進し、再び阻止機構８４により前進が阻止されるので、再び新規のチェーンリンクが押圧機構８５（第１のカム８６）に押圧されて前段のチェーンリンクに連結させられる。
【００４４】
このようにして、ハンドルを回すだけの簡単な操作で、収容部内のチェーンリンクを通路に移動させ、通路内に移動したチェーンリンクはストッパー部材で１つずつ連結機構に送り込まれ、前段のチェーンリンクに後段のチェーンリンクが連結され、連結済みのチェーンリンクは順次送り出され、結果としてチェーンリンクが連結されたチェーンを作ることができるので、年少者にもチェーンを作り、アクセサリー玩具を作る楽しみを味わうことができるチェーン作成玩具を実現することができる。
【図面の簡単な説明】
【００４５】
【図１】本発明に係るチェーンリンクを説明する斜視図
【図２】（ａ）（ｂ）は上記チェーンリンクの連結状態を説明する平面図及び正面図
【図３】本発明に係るチェーン作成玩具の斜視図
【図４】上記チェーン作成玩具の構成を説明する分解斜視図
【図５】揺動機構を説明するチェーン作成玩具の要部縦断面図
【図６】上記揺動機構の構成を説明する分解斜視図
【図７】（ａ）（ｂ）は上記揺動機構の動作状態を示す平面図
【図８】（ａ）（ｂ）は通路の構成を説明する斜視図及び正面図
【図９】（ａ）〜（ｃ）は送り出し機構の動作説明図
【図１０】（ａ）〜（ｃ）は連結機構の動作説明図
【符号の説明】
【００４６】
１    リング
２    連結部
３    切れ目
８    ハンドル
１０    玩具本体
１１    収容部
１３    通路
４０    揺動機構
８３    連結機構
８４    阻止機構
８５    押圧機構
Ａ    チェーンリンク
【図１】
2006280702.tif 000003
【図２】
2006280702.tif 000004
【図３】
2006280702.tif 000005
【図４】
2006280702.tif 000006
【図５】
2006280702.tif 000007
【図６】
2006280702.tif 000008
【図７】
2006280702.tif 000009
【図８】
2006280702.tif 000010
【図９】
2006280702.tif 000011
【図１０】
2006280702.tif 000012